(57)【要約】【課題】追記型光ディスクにおいて、ユーザデータ領域の容量を低減することなくＯＰＣを実行する。【解決手段】追記型光ディスク１０の内周側ＰＣＡ領域においてＯＰＣを実行し、内周側最適記録パワーを探索する。ユーザデータ領域のアドレスＮにおいて、その線速度に応じた一応の最適記録パワーを内周側記録パワーに基づいて算出し、アドレスＮにおいてテストデータを試し書きする。試し書きは１ＥＣＣブロック内においてエラー訂正可能な範囲に制限する。テストデータを試し書きして真の最適記録パワーを探索した後、アドレスＮにユーザデータを実記録する。再生時にはテストデータ部分はエラー訂正される。【選択図】図１
2008130113.tif 000002
【特許請求の範囲】
【請求項１】
追記型光ディスクにデータを記録する光ディスク装置であって、
光ディスクのユーザデータ領域に記録パワーを変化させてテストデータを試し書き
する手段と、
前記テストデータを再生して得られる再生信号品質に基づいて最適記録パワーを設定する手段と、
前記最適記録パワーで前記ユーザデータ領域にユーザデータを記録する手段と、
を有し、前記テストデータの試し書きの長さ及び回数は、記録された前記ユーザデータを再生した際にエラー訂正可能な範囲内に制限されることを特徴とする光ディスク装置。
【請求項２】
請求項１記載の装置において、
前記テストデータは前記ユーザデータの一部であることを特徴とする光ディスク装置。
【請求項３】
請求項１記載の装置において、
前記ユーザデータを記録する手段は、試し書きされた前記テストデータを上書きしないように間欠的に前記ユーザデータを記録することを特徴とする光ディスク装置。
【請求項４】
請求項１記載の装置において、
前記ユーザデータを記録する手段は、試し書きされた前記テストデータを上書きするように前記ユーザデータを記録することを特徴とする光ディスク装置。
【請求項５】
請求項１記載の装置において、
前記試し書きする手段は、前記光ディスクの内周に設けられたテスト領域に試し書きして得られた内周側最適記録パワーを、前記ユーザデータ領域の前記ユーザデータを記録すべき位置における線速度に応じて調整して得られた調整記録パワーを用いて前記テストデータを試し書きすることを特徴とする光ディスク装置。
【請求項６】
請求項５記載の装置において、
前記試し書きする手段は、前記調整記録パワーを増減変更して得られた記録パワーで前記テストデータを試し書きすることを特徴とする光ディスク装置。
【請求項７】
請求項１記載の装置において、
前記試し書きする手段は、１ＥＣＣブロック内で前記テストデータを試し書きすることを特徴とする光ディスク装置。
【発明の詳細な説明】
【技術分野】
【０００１】
本発明は光ディスク装置に関し、特に追記型光ディスクに試し書きを行って記録パワーを最適化する技術に関する。
【背景技術】
【０００２】
ＣＤ−Ｒ、ＤＶＤ−Ｒ、ＤＶＤ＋Ｒ等の追記型光ディスクにおいては、品質良好な記録を行うために記録パワーの最適化が必要となる。通常、最適記録パワーを決定する際には、光ディスク内周に予め用意されたＰＣＡ領域に対して階段状の記録パワーでテストデータを試し書きし、試し書きしたデータを再生して再生波形のβ値を測定し、最適なβ値が得られる記録パワーを探索している（ＯＰＣ動作）。
【０００３】
ところが、ＣＡＶ記録やＺＣＬＶ記録のように、光ディスクの内周側記録線速度と外周側記録線速度とが異なる場合があり、例えば最内周で線速１６倍速、最外周で線速４０倍速となる場合がある。このような場合、追記型光ディスクでは記録パワーの線速度依存性が高いため、内周に設けられたＰＣＡ領域を用いて得られた最適記録パワーが、外周における最適記録パワーとなり得ない問題がある。
【０００４】
このための対策として、ＤＶＤ−Ｒ等では外周側にもＰＣＡ領域を設けることが提案されているが、ディスク外周側では記録膜厚が必ずしも安定しておらず記録感度が不安定である、あるいはサーボ外乱が大きく目的の線速度でのＯＰＣ動作が出来ない、等の理由によって、外周側のＰＣＡ領域での安定的ＯＰＣ動作が困難である問題がある。
【０００５】
また、内周側のＰＣＡ領域で探索して得られた最適記録パワーに対し、目的とするアドレスあるいはユーザデータ領域での記録線速度毎に予め決められた係数を乗じ、当該アドレスあるいはユーザデータ領域での最適記録パワーを算出する方法も提案されている。
【０００６】
下記の特許文献１には、内周側で求めた最適記録パワーに基づいて算出された一定の記録パワーで外周での試し書きを行うことが開示されている。具体的には、記録速度ｖと記録パワーＰｏとの間にＰｏ＝ｋ×√ｖなる関係が成り立つことを利用し、内周側での記録速度と外周側での記録速度の比に応じて内周側で求めた最適記録パワーＰｏに線速の比率に応じた係数を乗じることで外周側での一応の最適記録パワーを算出し、この一応の最適記録パワーで外周側においてさらに試し書きを行って当該記録パワーが好適な記録パワーであるか否かを判断する技術が開示されている。
【０００７】
また、下記の特許文献２には、ユーザデータ記録領域内の記録済みファイルと追記するファイルの間に複数のエラー訂正ブロックから構成した記録パワー補正領域を設け、この領域で試し書きを実行し、その再生結果から追記ファイルの最適記録パワーを設定することが開示されている。
【０００８】
【特許文献１】特開２００５−１９０５２５号公報
【特許文献２】特開２００６−４０３２８号公報
【発明の開示】
【発明が解決しようとする課題】
【０００９】
特許文献１では、内周側ＰＣＡ領域にて得られた最適記録パワーに基づいて外周側での最適記録パワーを算出しているが、外周側に設けられたＰＣＡ領域にて最適記録パワーであるか否かを判断していることに変わりなく、外周側での記録膜厚のばらつきによる記録感度のばらつきの影響やサーボ外乱の影響を受ける問題がある。また、外周側においてＰＣＡ領域を予め設ける必要があるため、ユーザデータ領域が減少する問題もある。また、特許文献２においては、ユーザデータ領域を用いて試し書きを行っているが、記録済みファイルと追記するファイルの間に記録パワー補正領域を設けて試し書きを実行する構成であるため、同様にユーザデータ領域が減少する問題がある。
【００１０】
本発明の目的は、外周側にＰＣＡ領域を設けることなく、かつ、ユーザデータ領域を損なうことなく追記型光ディスクの全周にわたり最適記録パワーを設定できる光ディスク装置を提供することにある。
【課題を解決するための手段】
【００１１】
本発明は、追記型光ディスクにデータを記録する光ディスク装置であって、光ディスクのユーザデータ領域に記録パワーを変化させてテストデータを試し書きする手段と、前記テストデータを再生して得られる再生信号品質に基づいて最適記録パワーを設定する手段と、前記最適記録パワーで前記ユーザデータ領域にユーザデータを記録する手段とを有し、前記テストデータの試し書きの長さ及び回数は、記録された前記ユーザデータを再生した際にエラー訂正可能な範囲内に制限されることを特徴とする。
【発明の効果】
【００１２】
本発明によれば、テストデータの試し書きの長さ及び回数がエラー訂正可能な範囲内に制限された上でユーザデータ領域を用いて最適記録パワー探索を実行するため、ユーザデータ領域を無駄に消費することなく最適記録パワーを設定できる。
【発明を実施するための最良の形態】
【００１３】
以下、図面に基づき本発明の実施形態について説明する。
【００１４】
＜第１実施形態＞
図１に、本実施形態における光ディスク装置の全体構成を示す。ＤＶＤ−Ｒ等の追記型光ディスク１０はスピンドルモータ（ＳＰＭ）１２により駆動される。スピンドルモータＳＰＭ１２は、ドライバ１４で駆動され、ドライバ１４はサーボプロセッサ３０により所望の回転速度となるようにサーボ制御される。
【００１５】
光ピックアップ１６は、レーザ光を光ディスク１０に照射するためのレーザダイオード（ＬＤ）や光ディスク１０からの反射光を受光して電気信号に変換するフォトディテクタ（ＰＤ）を含み、光ディスク１０に対向配置される。光ピックアップ１６はステッピングモータで構成されるスレッドモータ１８により光ディスク１０の半径方向に駆動され、スレッドモータ１８はドライバ２０で駆動される。ドライバ２０は、ドライバ１４と同様にサーボプロセッサ３０によりサーボ制御される。また、光ピックアップ１６のＬＤはドライバ２２により駆動され、ドライバ２２は、オートパワーコントロール回路（ＡＰＣ）２４により、駆動電流が所望の値となるように制御される。ＡＰＣ２４及びドライバ２２は、システムコントローラ３２からの指令によりＬＤの発光量を制御する。図ではドライバ２２は光ピックアップ１６と別個に設けられているが、ドライバ２２を光ピックアップ１６に搭載してもよい。
【００１６】
光ディスク１０に記録されたデータを再生する際には、光ピックアップ１６のＬＤから再生パワーのレーザ光が照射され、その反射光がＰＤで電気信号に変換されて出力される。光ピックアップ１６からの再生信号はＲＦ回路２６に供給される。ＲＦ回路２６は、再生信号からフォーカスエラー信号やトラッキングエラー信号を生成し、サーボプロセッサ３０に供給する。サーボプロセッサ３０は、これらのエラー信号に基づいて光ピックアップ１６をサーボ制御し、光ピックアップ１６をオンフォーカス状態及びオントラック状態に維持する。また、ＲＦ回路２６は、再生信号に含まれるアドレス信号をアドレスデコード回路２８に供給する。アドレスデコード回路２８はアドレス信号から光ディスク１０のアドレスデータを復調し、サーボプロセッサ３０やシステムコントローラ３２に供給する。
【００１７】
アドレス信号はウォブル信号であり、このウォブル信号を再生信号から抽出しデコードすることでアドレスデータを得る。また、ＲＦ回路２６は、再生ＲＦ信号を２値化回路３４に供給する。２値化回路３４は、再生信号を２値化し、得られた信号をエンコード／デコード回路３６に供給する。エンコード／デコード回路３６では、２値化信号を復調及びエラー訂正して再生データを得、当該再生データをインタフェースＩ／Ｆ４０を介してパーソナルコンピュータなどのホスト装置に出力する。なお、再生データをホスト装置に出力する際には、エンコード／デコード回路３６はバッファメモリ３８に再生データを一旦蓄積した後に出力する。
【００１８】
光ディスク１０にデータを記録する際には、ホスト装置からの記録すべきデータはインターフェースＩ／Ｆ４０を介してエンコード／デコード回路３６に供給される。エンコード／デコード回路３６は、記録すべきデータをバッファメモリ３８に格納し、当該記録すべきデータをエンコードして変調データとしてライトストラテジ回路４２に供給する。ライトストラテジ回路４２は、変調データを所定の記録ストラテジに従ってマルチパルス（パルストレーン）に変換し、記録データとしてドライバ２２に供給する。記録ストラテジは記録品質に影響することから、データ記録に先立って最適化が行われる。記録データによりパワー変調されたレーザ光は光ピックアップ１６のＬＤから照射されて光ディスク１０にデータが記録される。データを記録した後、光ピックアップ１６は再生パワーのレーザ光を照射して当該記録データを再生し、ＲＦ回路２６に供給する。ＲＦ回路２６は再生信号を２値化回路３４に供給し、２値化されたデータはエンコード／デコード回路３６に供給される。エンコード／デコード回路３６は、変調データをデコードし、バッファメモリ３８に格納されている記録データと照合する。ベリファイの結果はシステムコントローラ３２に供給される。システムコントローラ３２はベリファイの結果に応じて引き続きデータを記録するか、あるいは交替処理を実行するかを決定する。システムコントローラ３２は、システム全体の動作を制御し、サーボプロセッサ３０を介してスレッドモータ１８を駆動し、光ピックアップ１６の位置を制御する。また、システムコントローラ３２は、ＯＰＣを制御して記録パワーを最適化する。ＯＰＣのためのＰＣＡ領域は、光ディスク１０の内周側に予め形成されたＰＣＡ領域と、光ディスク１０のユーザデータ領域とを用いて実行する。もちろん、図１の構成は一つの例示であって、光ディスクのアドレスを読み取り、ＯＰＣを行う任意の構成を採用できる。
【００１９】
図２に、ウォブル信号を読み出してアドレスを確定し、これに基づいてＯＰＣを実行する光ディスク装置の要部構成例を示す。光ピックアップ１６からの再生信号に含まれるウォブル（ＷＯＢＢＬＥ）信号はウォブル（ＷＯＢＢＬＥ）再生部４２に供給される。ウォブル再生部４２は、図１におけるアドレスデコード回路２８に対応し、ウォブル信号をデコードしてアドレスデータを抽出し、システムコントローラ３２に供給する。システムコントローラ３２は、パーソナルコンピュータなどのホスト装置から供給されたユーザデータをエンコード部３６に供給する。エンコード部３６はユーザデータをエンコードしてバッファメモリ３８に蓄積する。バッファメモリ３８に蓄積されたデータは、スイッチ４６を介して記録パルスとして光ピックアップ１６に供給される。記録パルスはライトストラテジ回路４２に基づき変調される。スイッチ４６の切替は、システムコントローラ３２からの記録タイミング制御信号に基づき制御される。また、光ピックアップ１６からのレーザ光の記録パワーは、システムコントローラ３２からの記録パワー制御信号に基づき制御される。すなわち、ＡＰＣ２４及びドライバ２２を介してシステムコントローラ３２が光ピックアップ１６のレーザ光パワーを制御する。
【００２０】
システムコントローラ３２は、ＰＣＡ領域でＯＰＣ動作を実行するとともに、データを記録すべきユーザデータ領域においてもＯＰＣ動作を実行する。ＰＣＡ領域でのＯＰＣは、従来技術と同様に記録パワーを階段状に変化させてテストデータを記録することにより行われる。一方、ユーザデータ領域でのＯＰＣでは、所定のタイミングでスイッチ４６をエンコード部３６側に切り替えてエンコード部３６からのエンコード済みユーザデータを光ピックアップ１６に供給する。すなわち、試し書きのテストデータは、エンコードされバッファメモリ３８に蓄積されたユーザデータの一部が用いられる。試し書きされたテストデータとしてのユーザデータの一部は光ピックアップ１６により再生され、再生ＲＦ信号としてβ測定回路４４に供給される。β測定回路４４は再生ＲＦ信号のピーク値、ボトム値からβ値を測定してシステムコントローラ３２に供給する。システムコントローラ３２は、β測定回路４４からのβ値に基づき、最適β値が得られる記録パワーを最適記録パワーに設定する。本実施形態において、ユーザデータ領域でのＯＰＣ実行時には、テストデータとしてのユーザデータの一部を２回に分けて記録し、各回での記録パワーを変化させる。そして、２回に分けて試し書きされたテストデータの記録パワーと測定β値から、最適β値が得られる記録パワーを算出する。最適記録パワーが得られた後、記録パワーを算出された最適記録パワーに設定してバッファメモリ３８に蓄積されたエンコード済みのユーザデータを光ピックアップ１６に供給してユーザデータを記録する。ユーザデータを記録する際には、スイッチ４６を切替制御して、ＯＰＣ動作において試し書きされた領域では重ね書きしないようにスイッチ４６の接点をＧＮＤ側に切り替える。
【００２１】
以下、本実施形態のＯＰＣ動作を詳細に説明する。図３に、ＯＰＣ動作の処理フローチャートを示す。まず、ＤＶＤ−Ｒの内周側に設けられたＰＣＡ領域でＯＰＣを実行する（Ｓ１０１）。すなわち、記録パワーを階段状に変化させてテストデータを試し書きし、該テストデータを再生して得られる再生信号品質としてのβ値を算出し、最適β値が得られる記録パワーを探索する。ＰＣＡ領域における線速度が２倍速である場合、ＯＰＣにより得られた最適記録パワーをＰｏ２Ｘとする（Ｓ１０２）。
【００２２】
内周側ＰＣＡ領域でＯＰＣを実行することにより設定された最適記録パワー（２倍速における最適記録パワー）Ｐｏ２Ｘに基づき、ユーザデータを記録すべきユーザデータ領域内のアドレスＮでの記録パワーを算出する（Ｓ１０３）。アドレスＮでの線速度が８倍速である場合、上記の特許文献１に記載されているごとく、線速度の比は４倍である為、係数として２を乗じて８倍速での記録パワーを一応算出することができる。線速度の比に応じて乗じる係数は、予め設計段階で設定してもよく、装置のシステムコントローラ３２内部のメモリに記憶させておいてもよい。８倍速での記録パワーをＰ８Ｘとする。但し、特許文献１にも記載されているとおり、このようにして算出された記録パワーは必ずしもアドレスＮでの最適記録パワーであるとは限らない。
【００２３】
アドレスＮでの一応の最適記録パワーＰ８Ｘを算出した後、アドレスＮまで光ピックアップ１６をシークさせ、アドレスＮにおいて１ＥＣＣブロック内の所定位置あるいは所定タイミングでユーザデータの一部を試し書きする（Ｓ１０４）。試し書きの長さおよび回数は一定の制限の範囲内で任意に設定できるが、例えば１ＥＣＣブロック内の２箇所において試し書きすることとし、それぞれの記録パワーを一応の最適記録パワーＰ８Ｘから微少量増減させて試し書きする。すなわち、２回の試し書きを「記録１」および「記録２」と称すると、記録１においては記録パワーＰ８×を微少量Ｐａだけ減少させた（Ｐ８Ｘ−Ｐａ）で試し書きし、記録２では記録パワーＰ８×を微少量Ｐａだけ増大させた（Ｐ８Ｘ＋Ｐａ）で試し書きする。また、試し書きするテストデータはバッファメモリ３８に蓄積されたユーザデータの一部である。すなわち、アドレスＮにおいて本来であればユーザデータは連続的に記録されるわけであるが、Ｓ１０４においては１ＥＣＣブロック内の所定位置に光ピックアップ１６が達したタイミングにおいてのみスイッチ４６を切り替えてユーザデータを光ピックアップ１６に供給して試し書きする。１ＥＣＣブロック内の所定位置は、例えば１ＥＣＣブロックを構成する１６セクタ中の２番目のセクタの２６個の同期信号（ＳＹＮＣ）の５番目と６番目の間、及び１６セクタ中の１１番目のセクタの２６個の同期信号中の２２番目と２３番目の間とする。試し書きすべきユーザデータの一部の長さは、例えば１０００チャネルビットとすることができる。試し書きされるテストデータのデータ長および１ＥＣＣブロックにおける試し書きの回数は、ユーザデータを試し書きした後にこれを再生した場合にエラー訂正可能な範囲内に制限される。具体的には、エラー訂正方法に依存して決定され、エラー訂正可能限界の半分以下に制限する。その理由は、エラーにはランダムエラーや傷等のバーストエラーも存在し、これらのエラーも同時に訂正できる能力を残しておく必要があるからである。
【００２４】
なお、ＤＶＤの誤り訂正については周知であるが、以下、簡単に説明する。１ＥＣＣブロックは２Ｋバイトのデータを含む２０６２バイトのセクタが１６個集まって構成され、３２Ｋバイトのデータが存在する。１８２バイトの長さの行が２０８行集まって構成される。１つの行の中は１７２バイトのデータにつき、１０バイトのリードソロモン（ＲＳ）符号によるパリティが付加される。縦方向では、１９２バイトにつき１６バイトのＲＳ符号によるパリティが付加される。ディスク上には行の横方向に順番に記録される。したがって、ディスクからはデータは順番に横方向に読み取られていく。デコード時には、まず１行１８２バイトデータを読み出し、ＲＳ符号による誤り検出を行う。横方向には１０個のパリティが付加されているので、原理的にはパリティの個数の半分の５個の誤りバイトまで訂正が可能である。次に縦方向の処理に移行する。全部で１８２列あり、一列は２０８バイトあるが、パリティは１６バイト付加されている。したがって、そのパリティの半分の８バイトまで誤りを訂正することができる（例えば、徳丸春樹他，「ＤＶＤ読本」，オーム社，平成１６年７月５日発行）。
【００２５】
エラー訂正可能な範囲内でユーザデータの一部を２回に分けて所定のタイミングで試し書きした後、試し書きデータを再生して再生信号品質としてのβ値を算出する（Ｓ１０５）。記録１におけるβ値（β１とする）と記録２におけるβ値（β２とする）のいずれも算出する。このようにして、記録パワー（Ｐ８Ｘ−Ｐａ）におけるβ値と記録パワー（Ｐ８Ｘ＋Ｐａ）におけるβ値が得られる。β値を算出した後、アドレスＮにおける最適β値が得られる最適記録パワーＰｏ８Ｘを算出する（Ｓ１０６）。この算出は、例えば（記録パワー，β値）を組として（Ｐ８Ｘ−Ｐａ，β１）、（Ｐ８Ｘ＋Ｐａ，β２）から記録パワーとβ値との関係を一次近似し、得られた一次近似式から最適β値が得られる記録パワーＰｏ８Ｘを算出すれば良い。
【００２６】
アドレスＮにおける最適記録パワーＰｏ８Ｘを算出して設定した後、アドレスＮにおいてユーザデータを実記録する。この際、既に試し書きされ残っているデータを上書きしないようにユーザデータを間欠的に実記録していく（Ｓ１０７）。試し書きされているのはユーザデータの一部であり、この試し書きデータを上書きしないようにユーザデータの残りのデータを記録することで、アドレスＮには本来記録されるべきユーザデータが全て記録されることとなる。したがって、仮にＳ１０７における追記部分の境界が円滑に途切れなく記録されていればエラー無くユーザデータを再生することができるが、一般に追記部分の境界においてはユーザデータを正確に再生できない。しかしながら、本実施形態では、１ＥＣＣブロック内においてエラー訂正可能な程度に試し書きのデータ長および回数を制限しているので、たとえ追記部分の境界においてエラーが生じたとしてもこれをエラー訂正することができ、試し書きデータを無駄にすることが無い。このことは、ユーザデータ領域を用いて試し書きして最適記録パワーＰｏ８Ｘを設定してとしても、ユーザデータ領域の実データ容量にはなんらの影響も与えないことを意味する。
【００２７】
図４に、ユーザデータの一部を試し書きする際のタイミングチャートを示す。図４（ａ）は、ユーザデータ領域のアドレスＮおよびその前後のアドレスＮ＋１、Ｎ−１を示す。アドレスＮは１ＥＣＣ長を有し、１６セクタを有する。図４（ｂ）は、エンコード部３６でエンコードされたユーザデータであり、バッファメモリ３８に蓄積されるユーザデータである。図では、アドレスＮに記録されるべきユーザデータを記録パルス１と称している。図２に示すように、記録パルス１はエンコード部３６からスイッチ４６の一方の端子に供給される。図４（ｃ）、は記録パワー制御信号であり、システムコントローラ３２から光ピックアップ１６に供給される信号である。アドレスＮにおいてユーザデータの一部を２回に分けて試し書きしてＯＰＣを実行するため、記録パワーを（Ｐ８Ｘ−Ｐａ）と（Ｐ８Ｘ＋Ｐａ）に設定する。記録パワー（Ｐ８Ｘ−Ｐａ）は試し書きの記録１用であり、記録パワー（Ｐ８Ｘ＋Ｐａ）は試し書きの記録２用のパワーである。図４（ｄ）は、記録タイミング制御信号であり、システムコントローラ３２からスイッチ４６に供給される信号である。記録タイミング制御信号がＨｉとなるタイミングでスイッチ４６が切り替わり、記録パルス１が光ピックアップ１６に供給される。１ＥＣＣブロック内において２回試し書きを行うため、記録タイミング制御信号は１ＥＣＣブロック内において２回Ｈｉとなる。図４（ｅ）は、光ピックアップ１６に供給される記録パルス信号である。図４（ｄ）に示す記録タイミング制御信号がＨｉとなるタイミングと同じタイミングであり、このタイミングでエンコードされたユーザデータが光ピックアップ１６に供給される。光ピックアップ１６に供給される信号を記録パルス２と称している。図４（ｆ）は、図４（ｅ）における記録パルスの拡大図である。記録１および記録２とも同期信号（シンクコード）の間で試し書きが実行される。同期信号の間隔は１４５６チャネルビット（９１バイト）であり、記録１及び記録２とも記録データ長は１０００チャネルビット程度に制限される。
【００２８】
このようにして、ユーザデータ領域のアドレスＮにおいて試し書きが２回行われ、それぞれの試し書きにおいて一応の最適記録パワーＰ８×を増減させた記録パワーでユーザデータの一部が試し書きされる。試し書きされたユーザデータの一部は再生されてβ値が測定され、アドレスＮにおける最適記録パワーＰｏ８Ｘが探索される。
【００２９】
図５に、図３におけるＳ１０６の処理を示す。図において、横軸は、記録パワーであり、縦軸は測定されたβ値を示す。アドレスＮにおける２回の試し書きにより、記録パワー（Ｐ８Ｘ−Ｐａ）でのβ値であるβ１、記録パワー（Ｐ８Ｘ＋Ｐａ）でのβ値であるβ２が得られる。これらを直線近似し、目標β値が得られる記録パワーを算出することで最適記録パワーＰｏ８Ｘが得られる。もちろん、記録パワーとβ値との関係は一時近似以外で近似してもよい。
【００３０】
図６に、アドレスＮにおける最適記録パワーＰｏ８Ｘを設定した後のタイミングチャートを示す。図３におけるＳ１０７の処理である。図６（ａ）は、図４（ａ）と同様のアドレスＮおよびその前後のアドレスＮ＋１、Ｎ−１を示す。アドレスＮのうちの２箇所にはユーザデータの一部が試し書きされている。図６（ｂ）は、図４（ｂ）と同様のエンコードされた記録パルスである。図６（ｃ）は、記録パワー制御信号であり、システムコントローラ３２から光ピックアップ１６に供給される信号である。ユーザデータの実記録時には、ＯＰＣにより設定された最適記録パワーＰｏ８Ｘとなるように制御される。図６（ｄ）は、記録タイミング制御信号であり、Ｈｉとなるタイミングで記録パルスが光ピックアップ１６に供給される。図４（ｄ）と比較すれば分かるとおり、図４（ｄ）の記録タイミング制御信号を反転した制御信号であり、試し書きされた領域においてＬｏｗとなり、それ以外でＨｉとなる信号である。これにより、アドレスＮのうち試し書きされていない領域においてユーザデータが記録され、試し書きされた領域ではユーザデータが記録されないこととなる。図６（ｅ）は、光ピックアップ１６に記録される記録パルスであり、試し書きしたデータを上書きしないようにユーザデータが記録される。以上の処理により、アドレスＮに２回のステップでユーザデータが記録される。すなわち、最初に試し書きとしてユーザデータの一部が記録され、記録パワーが最適化された後に残りのユーザデータが記録される。最初に記録されたユーザデータの一部は記録パワーが最適化されていない時点で記録されたものであり、必ずしも良好に再生されることは保証されないが、一応の最適記録パワーＰ８Ｘの近傍で記録されたものであり、再生できることが期待される。一方、１回目のユーザデータ記録と２回目のユーザデータ記録との間には境界が存在するため、アドレスＮのユーザデータを再生する際にはエラーが生じる可能性が高い。しかしながら、１回目のユーザデータ記録はエラー訂正可能な範囲内に限定して行っているため、たとえエラーが生じたとしてもエラー訂正して正確なユーザデータを再生できる。したがって、１回目のユーザデータ記録、つまりＯＰＣのために試し書きしたデータも有効なデータとして機能し、ユーザデータ領域を無駄に消費することがない。
【００３１】
図７に、本実施形態のユーザデータ記録を模式的に示す。図７（ａ）は、１回目のユーザデータ記録であり、アドレスＮにおける試し書きである。アドレスＮの１ＥＣＣブロック内の２箇所において試し書きを行い、ＯＰＣを実行する。図において、２回の試し書き領域はＯＰＣ領域１００、１０２として示される。図７（ｂ）は、２回目のユーザデータ記録であり、アドレスＮにおける最適記録パワーＰｏ８Ｘを設定した後の記録である。ＯＰＣ領域１００、１０２を上書きしないように、この部分において記録パルスを遮断してユーザデータを記録する。図において、ユーザデータの記録領域が領域２００、２０２、２０４として示される。
【００３２】
本実施形態において、テストデータは１ＥＣＣブロック内の１６セクタ中の２番目のセクタの２６個の同期信号の５番目と６番目の間、及び１６セクタ中の１１番目のセクタの２６個の同期信号中の２２番目と２３番目の間としているが、１ＥＣＣブロック内の１６セクタ中の２番目のセクタの２６個の同期信号の５番目と６番目の間、及び１６セクタ中の３番目のセクタの２６個の同期信号中の５番目と６番目の間等としてもよく、その位置は任意に設定できる。
【００３３】
＜第２実施形態＞
第１実施形態では、１回目にＯＰＣとしてのユーザデータの一部の記録を行い、２回目の最適記録パワーでの実記録時に既に記録されたユーザデータを上書きしないように間欠的に記録しているが、２回目の最適記録パワーでの実記録時に既に記録されたユーザデータを上書きして記録してもよい。この場合、上書き部分は過剰にピットが形成されることとなってβ値変動が大きくなり再生することが困難となるが、もともとエラー訂正可能な範囲内で試し書きを行っているため、問題なくエラー訂正して正確なデータを再生できる。このように記録するためには、２回目の実記録時にはスイッチ４６を常にエンコード３６側に切り替えるように記録タイミング制御信号をスイッチ４６に供給すればよく、図６（ｄ）に示すタイミングチャートはアドレスＮにおいて常にＨｉとなる信号波形とすればよい。
【００３４】
＜第３実施形態＞
第１実施形態では、ユーザデータ領域のアドレスＮでＯＰＣを実行する際にユーザデータの一部を用いているが、ＯＰＣ用の特殊パターンをテストデータとして用いてもよい。例えば、３Ｔと１１Ｔの連続パターンの試し書きを行えばβ値がより正確に検出することができ、最適記録パワーの精度が増大する。ＯＰＣ実行後に最適記録パワーで同じアドレスＮにユーザデータの実記録を行う際、テストデータ部分は確実に再生エラーとなってしまうが、エラー訂正可能範囲内でテストデータの試し書きを行うため問題ない。
【００３５】
＜第４実施形態＞
第１実施形態では、光ディスク１０の内周側に予め設けられたＰＣＡ領域でＯＰＣを実行して内周側の最適記録パワーをまず探索し、この内周側最適記録パワーを用いて次にアドレスＮにおける一応の最適記録パワーを算出し、この一応の最適記録パワーを増減してテストデータを試し書きすることでＯＰＣの効率化を図っているが、内周側のＰＣＡ領域でＯＰＣを実行せず、あるいは実行して得られた内周側最適記録パワーを用いることなく、アドレスＮにおいて記録パワーを階段状に変化させてＯＰＣを実行してもよい。この場合には、最適記録パワーを探索するために試し書きのデータ長あるいは回数は増大することになるが、エラー訂正可能な範囲内に制限することはいうまでもない。
【００３６】
＜第５実施形態＞
第１〜第４実施形態において、アドレスＮにおいて記録パワーの最適化を行ってユーザデータを実記録した後、一定時間経過後、あるいは一定温度変化検出後等に一端ユーザデータの実記録を停止し、停止地点において再度、上記のＯＰＣを実行して記録パワーの最適化を図ってもよい。
【００３７】
＜第６実施形態＞
第１〜第５実施形態において、１ＥＣＣブロック内でＯＰＣを実行しているが、予めＯＰＣ動作後のユーザデータの実記録が複数ＥＣＣブロックにわたることが分かっている場合（例えば、パーソナルコンピュータ等のホスト装置から転送されたユーザデータはバッファメモリ３８に蓄積しているためデータ量を判定することが可能である）、複数ＥＣＣブロックにわたってＯＰＣ動作を行ってもよい。
【図面の簡単な説明】
【００３８】
【図１】光ディスク装置の全体構成図である。
【図２】光ディスク装置の要部構成図である。
【図３】処理フローチャートである。
【図４】ＯＰＣ実行時のタイミングチャートである。
【図５】最適記録パワー算出説明図である。
【図６】ユーザデータ実記録時のタイミングチャートである。
【図７】ＯＰＣ時と実記録時のデータ記録説明図である。
【符号の説明】
【００３９】
１０  光ディスク、１６  光ピックアップ、３２  システムコントローラ。
【図１】
2008130113.tif 000003
【図２】
2008130113.tif 000004
【図３】
2008130113.tif 000005
【図４】
2008130113.tif 000006
【図５】
2008130113.tif 000007
【図６】
2008130113.tif 000008
【図７】
2008130113.tif 000009